(57)【要約】【目的】本発明は、施工機能、防水機能、等を向上した軒先唐草に係るものである。【構成】水平面状の固定片Ｆ１と、固定片Ｆ１の軒側先端を上方に突出した立ち上がり片Ｆ４と、立ち上がり片Ｆ４の先端を軒側に折り返した係止片Ｆ５とからなる係止部Ｆ３、立ち上がり片Ｆ４の根元を軒側に突出した突出片Ｆ６と、突出片Ｆ６の先端を下方に傾斜して突出した傾斜片Ｆ７と、傾斜片Ｆ７の先端を棟側に屈曲し、延長線が固定片Ｆ１の延長線上で接触する角度にした水切り片Ｆ８と、突出片Ｆ６と傾斜片Ｆ７と水切り片Ｆ８とからなる嵌合溝Ｆ９と、水切り片Ｆ８の先端を下方に垂下した化粧片Ｆ１０とから長尺状に形成した軒先唐草Ｆである。【選択図】図１
2015183355.tif 000002
【特許請求の範囲】
【請求項１】
水平面状の固定片と、該固定片の軒側先端を上方に突出した立ち上がり片と、該立ち上がり片の先端を軒側に折り返した係止片とからなる係止部、立ち上がり片の根元を軒側に突出した突出片と、突出片の先端を下方に傾斜して突出した傾斜片と、該傾斜片の先端を棟側に屈曲し、延長線が固定片の延長線上で接触する角度にした水切り片と、突出片と傾斜片と水切り片とからなる嵌合溝と、水切り片の先端を下方に垂下した化粧片とから長尺状に形成したことを特徴とする軒先唐草。
【発明の詳細な説明】
【技術分野】
【０００１】
本発明は、施工機能、防水機能、等を向上した軒先唐草に係るものである。
【背景技術】
【０００２】
一般に、金属製板材をロール成形、プレス成形等して加工した軒先唐草は数多く上市されている。（例えば、特許文献１〜３参照）。
【０００３】
【特許文献１】特開平８−２２６２０２号公報
【特許文献２】特開平１０−１１０５０９号公報
【特許文献３】特開２００７−３０９０７４号公報
【発明の開示】
【発明が解決しようとする課題】
【０００４】
特許文献１〜３においては、スレート屋根等の新生瓦屋根を改修するものであり、スレート屋根の軒先先端部分をスタート部分とするために袋状の嵌合溝を形成し、上部に金属製屋根材を張り始めるために係止部を形成し、この係止部を介して金属製屋根材を張り始めるものであった。しかしながら、この袋状の嵌合溝が、垂直または垂直方向よりも屋内側に形成されるために、雨水の切れが悪くなるものであった。また、特許文献３においては、雨水の水切れ位置が唐草の先端部分になるために、既存の雨樋から、雨水の流下速度によっては、雨樋を超えて流れ落ちてしまう危険性があった。
【課題を解決するための手段】
【０００５】
本発明はこのような欠点を解決するために、水平面状の固定片と、固定片の軒側先端を上方に突出した立ち上がり片と、立ち上がり片の先端を軒側に折り返した係止片とからなる係止部、立ち上がり片の根元を軒側に突出した突出片と、突出片の先端を下方に傾斜して突出した傾斜片と、傾斜片の先端を棟側に屈曲し、延長線が固定片の延長線上で接触する角度にした水切り片と、突出片と傾斜片と水切り片とからなる嵌合溝と、水切り片の先端を下方に垂下した化粧片とから長尺状に形成した軒先唐草を提供するものである。
【発明の効果】
【０００６】
以上説明したように、本発明に係る軒先唐草によれば、（１）屋根材上を流れてきた雨水の水切れが良くなり、雨水がスムーズに雨樋内に流れ落ちる。（２）係止部の先端側に突出片を形成したために、軒先の屋根材から流れ落ちた雨水が軒先部分の突出片に流れ落ちることにより雨樋と雨水の流下地点の段差が小さくなり、確実に既存の雨樋内に流下する。（３）傾斜片先端から水切り片を伝って雨水が化粧片まで伝ってくることが無くなり、確実に雨水が雨樋内に流下するものである。（４）軒先唐草の納まり、施工性、美観性が向上する。等の特徴、効果がある。
【図面の簡単な説明】
【０００７】
【図１】本発明に係る軒先唐草の代表的一例を示す説明図である。
【図２】本発明に係る軒先唐草の施工状態を示す説明図である。
【図３】本発明に係る軒先唐草の雨水の流れを示す説明図である。
【図４】本発明に係る軒先唐草に施工する屋根材の代表的一例を示す説明図である。
【図５】本発明に係る軒先唐草に施工する屋根材の施工状態を示す説明図である。
【図６】本発明に係る軒先唐草のその他の実施例を示す説明図である。
【図７】本発明に係る軒先唐草のその他の実施例を示す説明図である。
【発明を実施するための形態】
【０００８】
以下に図面を用いて本発明に係る軒先唐草について詳細に説明する。図１は本発明に係る軒先唐草の代表的一例を示す説明図、図２は本発明に係る軒先唐草の施工状態を示す説明図、図３は本発明に係る軒先唐草の雨水の流れを示す説明図である。
【０００９】
図４（ａ）、（ｂ）は本発明に係る軒先唐草に施工する金属製屋根材Ｂと断熱材Ｃ、裏面材Ｄよりなる屋根材Ａの代表的一例を示す説明図、図５は屋根材Ａの施工状態を示す説明図である。
【００１０】
軒先唐草Ｆは図１に示すように、水平面状の固定片Ｆ１と、固定片Ｆ１の棟側先端を折り返した舌片Ｆ２と、固定片Ｆ１の軒側先端を上方に突出した立ち上がり片Ｆ４と、立ち上がり片Ｆ４の先端を軒側に折り返した係止片Ｆ５とからなる係止部Ｆ３と、立ち上がり片Ｆ４の根元を軒側に突出した突出片Ｆ６と、突出片Ｆ６の先端を下方に傾斜して突出した傾斜片Ｆ７と、傾斜片Ｆ７の先端を棟側に屈曲し、延長線が固定片Ｆ１の延長線上で接触する角度、つまりθ２＜９０度にした水切り片Ｆ８と、突出片Ｆ６と傾斜片Ｆ７と水切り片Ｆ８とからなる嵌合溝Ｆ９と、水切り片Ｆ８の先端を下方に垂下した化粧片Ｆ１０と、化粧片Ｆ１０の下端を内方に折り返した舌片Ｆ１１とから長尺状に形成したものである。
【００１１】
軒先唐草Ｆは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００１２】
なお、図２において、Ｓはコロニアル屋根等の既存新生瓦屋根、Ｓ１は既存唐草であり、既存の屋根の改修構造を示すものである。
【００１３】
固定片Ｆ１は図２に示すように軒先唐草Ｆを下地αに固定するための部分である。
【００１４】
舌片Ｆ２は、万が一の雨水Ｒ等の浸入時に際し、防水壁として機能し、下地αまで雨水Ｒが浸入するのを防止するために形成したものである。
【００１５】
係止部Ｆ３は図２に示すように、屋根材Ａの差し込み縁７を係止し、屋根材Ａの第１段目のスタート部として機能するものである。
【００１６】
傾斜片７は垂直面に対してθの角度で傾斜し、図２に示す屋根材Ａの傾斜角度θ１よりも大きい関係、つまりθ＞θ１とするものである。この関係とすることにより、図２に示すように傾斜片Ｆ７がθ２の角度で形成されるものである。
【００１７】
また、水切り片８は、傾斜片Ｆ７の先端を棟側に屈曲し、延長線が固定片Ｆ１の延長線上で接触する角度にして形成するものであり、嵌合溝Ｆ９の入り口が狭まった角度に形成するものである。このように形成することにより、傾斜片Ｆ７を伝ってきた雨水Ｒが、水切り片Ｆ８を伝って化粧片Ｆ１０まで来ることがないものである。
【００１８】
さらに、図１に示すように係止部Ｆ３の先端から傾斜片Ｆ７の先端までの幅Ｗを形成することにより、図３に示すように形成された場合に、流れてきた矢印で示す雨水Ｒが屋根材Ａの先端から直接雨樋Ｒ１に流下せず、突出片Ｆ６、傾斜片Ｆ７を介して流下するために、確実に雨水Ｒが雨樋Ｒ１内に流下するものである。
【００１９】
なお、降水量が３ｍｍ〜２０ｍｍ程度の降雨の場合には、係止部Ｆ３の先端から傾斜片Ｆ７の先端までの幅をＷ、係止部Ｆ３の高さをＨとすると、Ｗ＞Ｈの関係とすることにより、さらに上記作用効果が確実になるものである。
【００２０】
下地αは、図４に示すように垂木１、野地板２、防水シート３から構成した木造下地上にコロニアル等の新生瓦屋根（コロニアル）固定した既存屋根下地を示したものである。
【００２１】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。
【００２２】
さらに説明すると、金属製屋根材Ｂは長尺板状であり、図４（ａ）、（ｂ）に示すように、略水平面状の化粧面４と、裏面５と、化粧面４の水下側端部を屋内側に垂下した段差化粧面６と、水上側に開口するように略コ字状に屈曲して差込縁７を形成し、化粧面４と段差化粧面６と差込縁７とから略Ｕ字状の引っ掛け溝８を形成して雄型連結部９としたものである。
【００２３】
また、図４（ａ）、（ｂ）に示すように、化粧面４の水上側端部には化粧面４の先端を水下側に開口して断面略Ｕ字状に形成した前記差込縁７と嵌合する嵌合溝１０と、嵌合溝１０の上縁となる嵌合縁１１と、固定面１２を形成し雌型連結部１３としたものである。
【００２４】
断熱材Ｃは防水材、断熱材、補強材、嵩上げ材、防音材、吸音材、緩衝材、防火材、結露防止材、等として機能するものであり、主に、合成樹脂発泡体を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材、もしくは裏面材の裏面側に吐出させ、加熱して反応・発泡・硬化させて形成したものである。
【００２５】
また、断熱材Ｃ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【００２６】
裏面材Ｄはクラフト紙、アルミ蒸着紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００２７】
以上説明したのは、本発明に係る軒先唐草の一実施例にすぎず、図６（ａ）〜（ｃ）、図７ａ）〜（ｃ）に示すように形成することが出来る。
【００２８】
すなわち、図６（ａ）〜（ｃ）において、（ａ）図は傾斜片Ｆ７の角度を大きく形成した軒先唐草Ｆ、（ｂ）図は係止部Ｆ３を低く形成した軒先唐草Ｆ、（ｃ）図は固定片Ｆ１と突出片Ｆ６の長さをほぼ同じに形成した軒先唐草Ｆである。
【００２９】
図７（ａ）〜（ｃ）において、（ａ）図は係止部Ｆ３の形状を変えた軒先唐草Ｆ、（ｂ）図は軒先側に係止部Ｆ３を移動した軒先唐草Ｆ、（ｃ）図は固定片Ｆ１＜突出片Ｆ６の関係に形成した軒先唐草Ｆである。
【符号の説明】
【００３０】
α  下地
β  固定具
Ａ  屋根材
Ｂ  金属製屋根材
Ｃ  断熱材
Ｄ  裏面材
Ｆ  軒先唐草
Ｆ１  固定片
Ｆ２  舌片
Ｆ３  係止部
Ｆ４  立ち上がり片
Ｆ５  係止片
Ｆ６  突出片
Ｆ７  傾斜片
Ｆ８  水切り片
Ｆ９  嵌合溝
Ｆ１０  化粧片
Ｆ１１  舌片
Ｒ  雨水
Ｒ１  雨樋
Ｓ  既存新生瓦屋根
Ｓ１  既存唐草
１  垂木
２  野地板
３  防水シート
４  化粧面
５  裏面
６  段差化粧面
７  差込縁
８  引っ掛け溝
９  雄型連結部
１０  嵌合溝
１１  嵌合縁
１２  固定片
１３  雌型連結部
【図１】
2015183355.tif 000003
【図２】
2015183355.tif 000004
【図３】
2015183355.tif 000005
【図４】
2015183355.tif 000006
【図５】
2015183355.tif 000007
【図６】
2015183355.tif 000008
【図７】
2015183355.tif 000009